(57)【特許請求の範囲】
【請求項１】
所定の第１の色空間の座標値で定義されるプロセス色画像データと、特色方向の座標値で定義される特色画像データとからなる印刷用画像データを、該印刷用画像データに基づく画像を所定の印刷条件で印刷して得た場合の該画像を再現したプルーフ画像を出力するプルーファ用の、所定の第２の色空間の座標値で定義される画像データに変換する色変換方法において、
前記第１の色空間の座標値をデバイス非依存の測色色空間の座標値に変換する、印刷条件に対応した印刷条件変換過程と、
特色名を前記測色色空間の座標値に変換する特色参照過程と、
前記測色色空間の座標値を前記第２の色空間の座標値に変換する、プルーフ条件に対応したプルーフ条件変換過程と、
前記測色色空間上あるいは前記第２の色空間上で、プロセス色画像データが変換されてなる、該測色色空間あるいは前記第２の色空間の座標値で定義される画像データと、特色名が変換されてなる、該測色色空間あるいは前記第２の色空間の座標値で定義される画像データとを合成する合成過程と
を経ることにより、前記第１の色空間の座標値で定義されたプロセス色画像データと特色方向の座標値で定義された特色画像データとからなる印刷用画像データを、プルーファ用の、前記第２の色空間の座標値で定義される画像データに変換することを特徴とする色変換方法。
【請求項２】
前記合成過程が画像データどうしを前記第２の色空間上で合成する過程であって、
印刷用画像データのうちの、前記第１の色空間の座標値で定義されたプロセス色画像データを、前記印刷条件変換過程により前記測色色空間の座標値で定義される画像データに変換して、さらに、この変換により得られた、該測色色空間の座標値で定義された画像データを、前記プルーフ条件変換過程により前記第２の色空間の座標値で定義される画像データに変換するとともに、
特色名を前記特色参照過程により前記測色色空間の座標値に変換して、さらに、この変換により得られた該測色色空間の座標値を、前記プルーフ条件変換過程により前記第２の色空間の座標値に変換し、
前記プルーフ条件変換過程により変換された後の、前記第２の色空間の座標値で定義された画像データと、前記プルーフ条件変換過程により変換された後の、特色に対応する、前記第２の色空間の座標値と、さらに、印刷用画像データのうちの特色画像データとから、前記合成過程により、プルーファ用の、前記第２の色空間の座標値で定義される画像データを合成することを特徴とする請求項１記載の色変換方法。
【請求項３】
前記合成過程が画像データどうしを前記測色色空間上で合成する過程であって、
印刷用画像データのうちの、前記第１の色空間の座標値で定義されたプロセス色画像データを、前記印刷条件変換過程により前記測色色空間の座標値で定義される画像データに変換するとともに、
特色名を前記特色参照過程により前記測色色空間の座標値に変換し、
前記印刷条件変換過程により変換された後の、前記測色色空間の座標値で定義された画像データと、前記特色参照過程により変換された後の、特色に対応する、前記測色色空間の座標値と、さらに、印刷用画像データのうちの特色画像データとから、前記合成過程により、プルーファ用の、前記測色色空間の座標値で定義される画像データを合成し、
前記合成過程により合成された、プルーファ用の、前記測色色空間の座標値で定義された画像データを、前記プルーフ条件変換過程により、プルーファ用の、前記第２の色空間の座標値で定義される画像データに変換することを特徴とする請求項１記載の色変換方法。
【請求項４】
印刷用画像データをプルーファ用の画像データに変換するに先立って、前記印刷条件変換過程と前記プルーフ条件変換過程とに基づいて、前記第１の色空間の座標値を前記第２の色空間の座標値に直接に変換するプロセス色変換過程を作成しておき、
印刷用画像データのうちのプロセス色画像データの変換にあたっては、前記印刷条件変換過程と前記プルーフ条件変換過程との双方を別々に適用することに代わり、前記プロセス色変換過程を適用することにより、前記印刷用画像データのうちの、前記第１の色空間で定義されたプロセス色画像データを、特色画像データと合成される前の、前記第２の色空間の座標値で定義される画像データに変換することを特徴とする請求項２記載の色変換方法。
【請求項５】
所定の第１の色空間の座標値で定義されるプロセス色画像データと、特色方向の座標値で定義される特色画像データとからなる印刷用画像データを入力し、該印刷用画像データを、該印刷用画像データに基づく画像を所定の印刷条件で印刷して得た場合の該画像を再現したプルーフ画像を出力するプルーファ用の、所定の第２の色空間の座標値で定義される画像データに変換する色変換装置において、
前記第１の色空間の座標値とデバイス非依存の測色色空間の座標値との対応を定義した、印刷条件に対応した第１の座標変換定義と、
特色名と前記測色色空間の座標値との対応を定義した特色・座標変換定義と、前記測色色空間の座標値と前記第２の色空間の座標値との対応を定義した第２の座標変換定義と、
前記測色色空間あるいは前記第２の色空間において、プロセス色画像データが変換されてなる、該測色色空間あるいは該第２の色空間の座標値と、特色名が変換されてなる、該測色色空間あるいは該第２の色空間の座標値との２つの座標値と、これら２つの座標値が合成された１つの座標値との対応を定義した座標合成定義と
を記憶する定義記憶部、および
前記定義記憶部に記憶された、第１の座標変換定義と、特色・座標変換定義と、第２の座標変換定義と、座標合成定義とを参照しながら、前記第１の色空間の座標値で定義されたプロセス色画像データと特色方向の座標値で定義された特色画像データとからなる印刷用画像データを、プルーファ用の、前記第２の色空間の座標値で定義される画像データに変換する色変換部を備えたことを特徴とする色変換装置。
【請求項６】
前記定義記憶部に記憶された座標合成定義が、前記第２の色空間における、２つの座標値と、これら２つの座標値が合成された１つの座標値との対応を定義したものであって、
前記色変換部が、
前記第１の座標変換定義を参照して、印刷用画像データのうちの、前記第１の色空間の座標値で定義されたプロセス色画像データを、前記測色色空間の座標値で定義される画像データに変換する第１の変換手段と、
前記特色・座標変換定義を参照して、特色名を前記測色色空間の座標値に変換する第２の変換手段と、
前記第２の座標変換定義を参照して、前記第１の変換手段により変換された後の、前記測色色空間の座標値で定義された画像データを、前記第２の色空間の座標値で定義される画像データに変換する第３の変換手段と、
前記第２の座標変換定義を参照して、前記第２の変換手段により変換された後の、特色に対応する、前記測色色空間の座標値を、前記第２の色空間の座標値に変換する第４の変換手段と、
前記座標合成定義を参照して、前記第３の変換手段により変換された後の、前記第２の色空間の座標値で定義された画像データと、前記第４の変換手段により変換された後の、特色に対応する、前記第２の色空間の座標値と、さらに、印刷用画像データのうちの特色画像データとから、プルーファ用の、前記第２の色空間の座標値で定義される画像データを合成する第１の合成手段とを有するものであることを特徴とする請求項５記載の色変換装置。
【請求項７】
前記定義記憶部に記憶された座標合成定義が、前記測色色空間における、２つの座標値と、これら２つの座標値が合成された１つの座標値との対応を定義したものであって、
前記色変換部が、
前記第１の座標変換定義を参照して、印刷用画像データのうちの、前記第１の色空間の座標値で定義されたプロセス色画像データを、前記測色色空間の座標値で定義される画像データに変換する第５の変換手段と、
前記特色・座標変換定義を参照して、特色名を前記測色色空間の座標値に変換する第６の変換手段と、
前記座標合成定義を参照して、前記第５の変換手段により変換された後の、前記測色色空間の座標値で定義された画像データと、前記第６の変換手段により変換された後の、特色に対応する、前記測色色空間の座標値と、さらに印刷用画像データのうちの特色画像データとから、プルーファ用の、前記測色色空間の座標値で定義される画像データを合成する第２の合成手段と、
前記第２の座標変換定義を参照して、前記第２の合成手段により合成された、プルーファ用の、前記測色色空間の座標値で定義された画像データを、プルーファ用の、前記第２の色空間の座標値で定義される画像データに変換する第７の変換手段とを備えたことを特徴とする請求項５記載の色変換装置。
【請求項８】
前記定義記憶部に記憶された座標合成定義が、前記第２の色空間における、２つの座標値と、これら２つの座標値が合成された１つの座標値との対応を定義したものであって、
前記色変換部が、
前記第１の座標変換定義と前記第２の座標変換定義とに基づいて、前記第１の色空間の座標値と前記第２の色空間の座標値とを直接に対応づける第３の座標変換定義を構築する座標変換定義構築手段と、
前記第３の座標変換定義を参照して、印刷用画像データのうちの、前記第１の色空間の座標値で定義されたプロセス色画像データを、前記第２の色空間の座標値で定義された画像データに変換する第８の変換手段と、
前記特色・座標変換定義を参照して、特色名を前記測色色空間の座標値に変換する第９の変換手段と、
前記第２の座標変換定義を参照して、前記第９の変換手段により変換された後の、特色に対応する、前記測色色空間の座標値を、前記第２の色空間の座標値に変換する第１０の変換手段と、
前記座標合成定義を参照して、前記第８の変換手段により変換された後の、前記第２の色空間の座標値で定義された画像データと、前記第９の変換手段により変換された後の、特色に対応する、前記第２の色空間の座標値と、さらに、印刷用画像データのうちの特色画像データとから、プルーファ用の、前記第２の色空間の座標値で定義される画像データを合成する第３の合成手段とを有するものであることを特徴とする請求項５記載の色変換装置。
【請求項９】
所定の第１の色空間の座標値で定義されるプロセス色画像データと、特色方向の座標値で定義される特色画像データとからなる印刷用画像データを、該印刷用画像データに基づく画像を所定の印刷条件で印刷して得た場合の該画像を再現したプルーフ画像を出力するプルーファ用の、所定の第２の色空間の座標値で定義される画像データに変換するための色変換定義が記憶された色変換定義記憶媒体であって、
前記第１の色空間の座標値とデバイス非依存の測色色空間の座標値との対応を定義した、印刷条件に対応した第１の座標変換定義と、
特色名と前記測色色空間の座標値との対応を定義した特色・座標変換定義と、前記測色色空間の座標値と前記第２の色空間の座標値との対応を定義した、プルーフ条件に対応した第２の座標変換定義と、
前記測色色空間あるいは前記第２の色空間において、プロセス色画像データが変換されてなる、該測色色空間あるいは第２の色空間の座標値と、特色名が変換されてなる、該測色色空間あるいは該第２の色空間の座標値との２つの座標値と、これら２つの座標値が合成された１つの座標値との対応を定義した座標合成定義と
を含む色変換定義が記憶されてなることを特徴とする色変換定義記憶媒体。
【発明の詳細な説明】
【０００１】
【発明の属する技術分野】
本発明は、カラー印刷機により、プロセスインキに加え特色インキを使用したカラー印刷を行なうにあたり、プリンタあるいはＣＲＴディスプレイ装置等のプルーファを用いて、カラー印刷物の色を再現したプルーフ画像を出力（プリントアウトや画像表示を含む）するシステムに適用し、印刷用の画像データをプルーファ用の画像データに変換する色変換方法、色変換装置、およびそのような色変換を行なうための色変換定義が記憶されてなる色変換定義記憶媒体に関する。
【０００２】
【従来の技術】
従来より、カラー印刷機を用いてカラー画像印刷を行なうにあたっては、印刷を行なう前に、その印刷機で印刷される画像の色と極力同じ色に似せたプルーフ画像を、カラープリンタ等を用いてプリントを出力したり、あるいはカラーディスプレイ装置を用いて画面表示することが行なわれている。このようなプルーフ画像を作成するにあたっては、印刷を行なおうとしている印刷機の種類や、その印刷機の使用条件等（使用されるインキの種類や紙の紙質等；印刷機の種類を含め、ある１つの印刷に必要な条件を印刷条件と称する）に対応した、画像データと実際の印刷物の色との関係を記述した印刷プロファイルと、プルーファ画像を出力するプルーファの種類やそのプルーファの使用条件等（プルーファの種類を含め、ある１つのプルーフ画像の出力に必要な条件をプルーフ条件と称する）に対応した、画像データと実際に出力されるプルーフ画像の色との関係を記述したプルーファプロファイルとを知り、これら印刷プロファイルとプルーファプロファイルとに基づいて印刷用の画像データをプルーファ用の画像データに変換し、この変換されたプルーファ用の画像データに基づいてプルーフ画像を出力する。こうすることにより、実際の印刷物と色の一致したプルーフ画像を得ることができる。通常、典型的な印刷条件に対応した印刷プロファイルは印刷業者から提供され、プルーファプロファイルも、プルーフ画像出力用を目的としたプリンタ等については、そのプリンタ等のメーカから提供される。
【０００３】
印刷用の画像データをプルーファ用の画像データに変換してプルーフ画像を出力しようとするにあたっては、通常、印刷プロファイルとプルーファプロファイルとを合体させて１つのＬＵＴ（ルックアップテーブル）を作成し、そのＬＵＴを参照することと、そのＬＵＴには対応関係が記述されていない下位ビット側については補間演算を行なうことにより、印刷用の画像データがプルーファ用の画像データに変換される。
【０００４】
ここで、印刷は、通常はＣＭＹＫ４色のプロセスインキを使用して行なわれるが、それら４色のプロセスインキに加え、特色インキが使用される場合がある。この場合に、ＣＭＹＫ４色のプロセスインキと、多数存在する種々の特色インキとの全ての組合せについて印刷プロファイルを用意するのは現実的ではなく、通常はＣＭＹＫ４色のプロセスインキを使用した印刷に関する印刷プロファイルが用意される。したがって上述のようにして作成されるＬＵＴは、ＣＭＹＫ４色のプロセスインキを使用して印刷を行なうときのＣＭＹＫ４色の色空間で定義されたプロセス色画像データを、プルーファ用の、例えばＲＧＢ３色の色材を使用してプルーフ画像を出力するときのＲＧＢ３色の色空間で定義される画像データに変換するＬＵＴである。
【０００５】
【発明が解決しようとする課題】
このような状況下において、ＣＭＹＫ４色のプロセスインキのほかに特色インキも使用した印刷を行なうときに、その印刷物のプルーフ画像をどのようにして出力するかが問題となる。
【０００６】
通常、プルーフ画像出力用のプリンタは、例えばＲＧＢ３色の色材あるいはＣＭＹＫ４色の色材で画像を出力するタイプのものであり、印刷に使用しようとしている特色に合致した特色色材が用意されている場合は極めてまれである。また、ＣＲＴディスプレイ装置にプルーフ画像を表示する場合も、ＲＧＢ３色の組合せで全ての色を表現するしかなく、その特色を含めた印刷物全体をＲＧＢの３色等で表現することになる。
【０００７】
この場合に、従来は、特色インキのメーカ等から入力できる、印刷に使用しようとしている特色インキの特性（Ｌ*ａ*ｂ*空間上の座標値等）と、印刷用の特色用の画像データ（網％データ等）に基づいて、その特色画像データをＣＭＹＫ４色のプロセス色画像データに変換し、その特色用のプロセス色画像データと、その特色を除くＣＭＹＫ４色のプロセスインキ用のプロセス色画像データとを合成し、合成したＣＭＹＫ４色のプロセス色画像データを、前述のようにして作成したＬＵＴ等の変換系により、プルーファ用の、例えばＲＧＢ３色の画像データに変換し、そのように変換されたプルーファ用の画像データに基づくプルーフ画像を出力するという方法が採用される。この場合、特色は、ＣＭＹＫ４色に分解され、本来プロセスカラー用のＬＵＴ等からなる変換系によりプルーファ用の画像データに変換されるため、特色の色再現精度に問題がある。
【０００８】
特開平１０−２４８０１７号公報には、特色の色再現精度の向上を図る技術が提案されている。この公報に開示された技術は、印刷用画像データのうちのＣＭＹＫ４色のプロセス色画像データについては、上記のようにして作成したＬＵＴ等からなる第１の変換系でプルーファ用に変換し、一方、特色については、その特色に適合した第２の変換系を用意しておいて、その第２の変換系でプルーファ用に変換し、そのようにして第１の変換系と第２の変換系のそれぞれで変換された双方の画像データを、プルーファ用の色空間（例えばＲＧＢ色空間）上で合成するというものである。
【０００９】
この技術によれば、特色をＣＭＹＫに分解して本来特色用として用意されていない変換系により変換するという前述の技術と比べ、その特色に適合した第２の変換系をＣＭＹＫ４色のプロセスインキに適合した第１の変換系とは別に用意していることから、特色に関しより高精度な色変換が可能であり、特色の色再現精度を向上させることができる。
【００１０】
ここで、プルーフ画像出力用のプルーファにも各種のものが存在し、それら複数種類のプルーファの中から、プルーフ画像を出力するプルーファを、例えばプルーフ画像作成のスピードやコスト等に応じて選択するようなシステム、例えば、通常はＣＲＴディスプレイ装置の表示画面上にプルーフ画像を表示し、必要に応じてそのプルーフ画像をプリンタでプリント出力する、しかもそのプリント出力するにあたっても、複数台のプリンタを用意しておいて、プリント出力のスピードやコスト、あるいは必要とする画質等に応じてプルーフ画像出力のプリンタを選択するというようなシステムを構築した場合、上記の公報に提案された技術では、上記の第１の変換系と第２の変換系との双方をプルーファの種類ごとに作り直す必要があり、データ管理上効率が悪いという問題がある。あるいは、それら第１の変換系と第２の変換系との双方をプルーファの種類ごとにあらかじめ作成しておくこともできるが、上記の第１の変換系や第２の変換系は大きなメモリ容量を必要とするかなり大規模なＬＵＴ等を含むものであり、そのような大容量のメモリを必要とする変換系をプルーファの種類に応じてあらかじめ用意しておくのでは、尨大な容量のメモリが必要となり、装置構成上もコスト上も問題がある。
【００１１】
本発明は、上記事情に鑑み、特色の色再現精度が高く、かつプルーフ画像を出力するプルーファが複数種類存在するシステムにも適合した色変換方法、色変換装置、およびそのような色変換に好適な色変換定義が記憶された色変換定義記録媒体を提供することを目的とするものである。
【００１２】
【課題を解決するための手段】
上記目的を達成する本発明の色変換方法は、所定の第１の色空間の座標値で定義されるプロセス色画像データと、特色方向の座標値で定義される特色画像データとからなる印刷用画像データを、その印刷用画像データに基づく画像を所定の印刷条件で印刷して得た場合のその画像を再現したプルーフ画像を出力するプルーファ用の、所定の第２の色空間の座標値で定義される画像データに変換する色変換方法において、
上記第１の色空間の座標値をデバイス非依存の測色色空間の座標値に変換する、印刷条件に対応した印刷条件変換過程と、
特色名を上記測色色空間の座標値に変換する特色参照過程と、
上記測色色空間の座標値を上記第２の色空間の座標値に変換する、プルーフ条件に対応したプルーフ条件変換過程と、
上記測色色空間上あるいは上記第２の色空間上で、プロセス色画像データが変換されてなる、測色色空間あるいは第２の色空間の座標値で定義される画像データと、特色名が変換されてなる、測色色空間あるいは第２の色空間の座標値で定義される画像データとを合成する合成過程と
を経ることにより、上記第１の色空間の座標値で定義されたプロセス色画像データと特色方向の座標値で定義された特色画像データとからなる印刷用画像データを、プルーファ用の、上記第２の色空間の座標値で定義される画像データに変換することを特徴とする。
【００１３】
本発明の色変換方法において、上記の印刷条件変換過程では前述の印刷プロファイルが使用され、特色参照過程では、その特色インキのメーカ等から提供されるその特色のＬ*ａ*ｂ*値等の色度値が参照され、上記のプルーフ条件変換過程では、前述のプルーファプロファイルが使用される。合成過程では、プロセス色画像データと特色画像データが合成される。この場合に、プルーファの追加あるいは変更に伴って追加あるいは変更する必要があるのは、プルーフ条件変換過程で使用されるプルーファプロファイルのみであり、プルーファの追加あるいは変更に伴って、いずれも大規模な第１の変換系と第２の変換系との双方を追加あるいは変更する必要がある前述の公報に開示された技術と比べ、プルーファの増設等に伴うデータの追加等が少なくて済み、データ管理上、あるいはメモリ容量上有利である。また、本発明によれば、特色の変換過程をプロセスカラーの変換過程とは別に設定しているため、前述の公報に開示されたレベルと同じレベルの高い色再現精度のプルーフ画像を得ることができる。
【００１４】
ここで、上記本発明の色変換方法において、上記合成過程は、画像データどうしを上記第２の色空間上で合成するものであってもよく、あるいは画像データどうしを上記測色色空間上で合成するものであってもよい。
【００１５】
画像データどうしを上記第２の色空間上で合成する合成過程を採用する場合、本発明の色変換方法では、
印刷用画像データのうちの、上記第１の色空間の座標値で定義されたプロセス色画像データを、印刷条件変換過程により測色色空間の座標値で定義される画像データに変換して、さらに、この変換により得られた、測色色空間の座標値で定義された画像データを、プルーフ条件変換過程により上記第２の色空間の座標値で定義される画像データに変換するとともに、
特色名を特色参照過程により測色色空間の座標値に変換して、さらに、この変換により得られた測色色空間の座標値を、プルーフ条件変換過程により上記第２の色空間の座標値に変換し、
プルーフ条件変換過程により変換された後の、上記第２の色空間の座標値で定義された画像データと、プルーフ条件変換過程により変換された後の、特色に対応する、第２の色空間の座標値と、さらに、印刷用画像データのうちの特色画像データとから、上記合成過程により、プルーファ用の、第２の色空間の座標値で定義される画像データを合成する
という色変換方法を採用することができる。
【００１６】
また、画像データどうしを上記測色色空間上で合成するという合成過程を採用する場合、本発明の色変換方法では、
印刷用画像データのうちの、上記第１の色空間の座標値で定義されたプロセス色画像データを、印刷条件変換過程により測色色空間の座標値で定義される画像データに変換するとともに、
特色名を特色参照過程により測色色空間の座標値に変換し、
印刷条件変換過程により変換された後の、測色色空間の座標値で定義された画像データと、特色参照過程により変換された後の、特色に対応する、測色色空間の座標値と、さらに、印刷用画像データのうちの特色画像データとから、上記合成過程により、プルーファ用の、測色色空間の座標値で定義される画像データを合成し、
上記合成過程により合成された、プルーファ用の、測色色空間の座標値で定義された画像データを、プルーフ条件変換過程により、プルーファ用の、上記第２の色空間の座標値で定義される画像データに変換するという色変換方法を採用することができる。
【００１７】
さらに、本発明の色変換方法において、画像データどうしを上記第２の色空間上で合成する合成過程を採用する場合、
印刷用画像データをプルーファ用の画像データに変換するに先立って、上記印刷条件変換過程と上記プルーフ条件変換過程とに基づいて、上記第１の色空間の座標値を上記第２の色空間の座標値に直接に変換するプロセス色変換過程を作成しておき、
印刷用画像データのうちのプロセス色画像データの変換にあたっては、印刷条件変換過程とプルーフ条件変換過程との双方を別々に適用することに代わり、上記プロセス色変換過程を適用することにより、印刷用画像データのうちの、上記第１の色空間で定義されたプロセス色画像データを、特色画像データと合成される前の、上記第２の色空間の座標値で定義される画像データに変換することが好ましい。
【００１８】
実際の色変換に先立って、上記のプロセス色変換過程を作成しておくと、準備段階ではプロセス色変換過程を作成する必要がある分、手間が掛かるが、実際の色変換においてはプロセス色画像データに関しては、プロセス色変換過程により、第１の色空間から、測色色空間を経ることなく直接に第２の色空間に変換され、色変換の効率化が図られる。
【００１９】
また、上記目的を達成する本発明の色変換装置は、所定の第１の色空間の座標値で定義されるプロセス色画像データと、特色方向の座標値で定義される特色画像データとからなる印刷用画像データを入力し、その印刷用画像データを、その印刷用画像データに基づく画像を所定の印刷条件で印刷して得た場合のその画像を再現したプルーフ画像を出力するプルーファ用の、所定の第２の色空間の座標値で定義される画像データに変換する色変換装置において、
上記第１の色空間の座標値とデバイス非依存の測色色空間の座標値との対応を定義した、印刷条件に対応した第１の座標変換定義と、
特色名と上記測色色空間の座標値との対応を定義した特色・座標変換定義と、
上記測色色空間の座標値と上記第２の色空間の座標値との対応を定義した第２の座標変換定義と、
上記測色色空間あるいは上記第２の色空間において、プロセス色画像データが変換されてなる、測色色空間あるいは第２の色空間の座標値と、特色名が変換されてなる、測色色空間あるいは第２の色空間の座標値との２つの座標値と、これら２つの座標値が合成された１つの座標値との対応を定義した座標合成定義と
を記憶する定義記憶部、および
定義記憶部に記憶された、第１の座標変換定義と、特色・座標変換定義と、第２の座標変換定義と、座標合成定義とを参照しながら、上記第１の色空間の座標値で定義されたプロセス色画像データと特色方向の座標値で定義された特色画像データとからなる印刷用画像データを、プルーファ用の、上記第２の色空間の座標値で定義される画像データに変換する色変換部を備えたことを特徴とする。
【００２０】
本発明の色変換装置によれば、プルーファの追加等があっても定義記憶部のメモリ容量の増加の程度を抑え、かつプルーフ画像出力のための高精度な色変換を行なうことができる。
【００２１】
ここで、上記本発明の色変換装置において、上記定義記憶部に記憶された座標合成定義が、上記第２の色空間における、２つの座標値と、これら２つの座標値が合成された１つの座標値との対応を定義したものであって、
上記色変換部は、
第１の座標変換定義を参照して、印刷用画像データのうちの、第１の色空間の座標値で定義されたプロセス色画像データを、測色色空間の座標値で定義される画像データに変換する第１の変換手段と、
特色・座標変換定義を参照して、特色名を測色色空間の座標値に変換する第２の変換手段と、
第２の座標変換定義を参照して、第１の変換手段により変換された後の、測色色空間の座標値で定義された画像データを、第２の色空間の座標値で定義される画像データに変換する第３の変換手段と、
第２の座標変換定義を参照して、第２の変換手段により変換された後の、特色に対応する、測色色空間の座標値を、第２の色空間の座標値に変換する第４の変換手段と、
座標合成定義を参照して、上記第３の変換手段により変換された後の、第２の色空間の座標値で定義された画像データと、第４の変換手段により変換された後の、特色に対応する、第２の色空間の座標値と、さらに、印刷用画像データをのうちの特色画像データとから、プルーファ用の、第２の色空間の座標値で定義される画像データを合成する第１の合成手段とを有するものであってもよく、
あるいは、本発明の色変換装置において、上記定義記憶部に記憶された座標合成定義が、上記測色色空間における、２つの座標値と、これら２つの座標値が合成された１つの座標値との対応を定義したものであって、
上記色変換部は、
第１の座標変換定義を参照して、印刷用画像データのうちの、第１の色空間の座標値で定義されたプロセス色画像データを、測色色空間の座標値で定義される画像データに変換する第５の変換手段と、
特色・座標変換定義を参照して、特色名を測色色空間の座標値に変換する第６の変換手段と、
座標合成定義を参照して、上記第５の変換手段により変換された後の、測色色空間の座標値で定義された画像データと、第６の変換手段により変換された後の、特色に対応する、測色色空間の座標値と、さらに印刷用画像データのうちの特色画像データとから、プルーファ用の、測色色空間の座標値で定義される画像データを合成する第２の合成手段と、
第２の座標変換定義を参照して、第２の合成手段により合成された、プルーファ用の、測色色空間の座標値で定義された画像データを、プルーファ用の、第２の色空間の座標値で定義される画像データに変換する第７の変換手段とを備えたものであってもよく、
あるいは、上記本発明の色変換装置において、上記定義記憶部に記憶された座標合成定義が、上記第２の色空間における、２つの座標値と、これら２つの座標値が合成された１つの座標値との対応を定義したものであって、
上記色変換部は、
第１の座標変換定義と第２の座標変換定義とに基づいて、第１の色空間の座標値と第２の色空間の座標値とを直接に対応づける第３の座標変換定義を構築する座標変換定義構築手段と、
第３の座標変換定義を参照して、印刷用画像データのうちの、第１の色空間の座標値で定義されたプロセス色画像データを、第２の色空間の座標値で定義された画像データに変換する第８の変換手段と、
特色・座標変換定義を参照して、特色名を測色色空間の座標値に変換する第９の変換手段と、
第２の座標変換定義を参照して、第９の変換手段により変換された後の、特色に対応する、測色色空間の座標値を、第２の色空間の座標値に変換する第１０の変換手段と、
座標合成定義を参照して、上記第８の変換手段により変換された後の、第２の色空間の座標値で定義された画像データと、第９の変換手段により変換された後の、特色に対応する、第２の色空間の座標値と、さらに、印刷用画像データのうちの特色画像データとから、プルーファ用の、第２の色空間の座標値で定義される画像データを合成する第３の合成手段とを有するものであってもよい。
【００２２】
さらに、本発明の色変換定義記憶媒体は、所定の第１の色空間の座標値で定義されるプロセス色画像データと、特色方向の座標値で定義される特色画像データとからなる印刷用画像データを、その印刷用画像データに基づく画像を所定の印刷条件で印刷して得た場合のその画像を再現したプルーフ画像を出力するプルーファ用の、所定の第２の色空間の座標値で定義される画像データに変換するための色変換定義が記憶された色変換定義記憶媒体であって、
上記第１の色空間の座標値とデバイス非依存の測色色空間の座標値との対応を定義した、印刷条件に対応した第１の座標変換定義と、
特色名と測色色空間の座標値との対応を定義した特色・座標変換定義と、
測色色空間の座標値と上記第２の色空間の座標値との対応を定義した、プルーフ条件に対応した第２の座標変換定義と、
測色色空間あるいは上記第２の色空間において、プロセス色画像データが変換されてなる、測色色空間あるいは第２の色空間の座標値と、特色名が変換されてなる、測色色空間あるいは第２の色空間の座標値との２つの座標値と、これら２つの座標値が合成された１つの座標値との対応を定義した座標合成定義と
を含む色変換定義が記憶されてなることを特徴とする。
【００２３】
本発明の色変換定義記憶媒体に記憶された色変換定義は、プルーファの増設等に適合したものであり、かつその色変換定義を採用して色変換を行なうことにより、特色の色再現精度の高い色変換を行なうことができる。
【００２４】
尚、本発明における上記の各種の「定義」は、例えばＬＵＴのようなテーブル構造あるいは他の構造のデータであってもよく、変換式に基づく演算を実行するプログラムであってもよく、例えばＬＵＴ構造のデータと補間演算を実行するプログラムとの組合せ等、データとプログラムとの組合せであってもよい。
【００２５】
【発明の実施の形態】
以下、本発明の実施形態について説明する。
【００２６】
図１は、本発明の一実施形態が適用された印刷およびプルーフ画像作成システムの全体構成図である。
【００２７】
カラースキャナ１０では、原稿画像が読み取られて、その読み取られた原稿画像をあらわすＣＭＹＫ４色の色分解画像データが生成される。このＣＭＹＫの画像データはワークステーション２０に入力される。ワークステーション２０では、オペレータにより、入力された画像データに基づく、電子的な集版が行なわれ、印刷用の画像をあらわす画像データが生成される。ここでは、ワークステーション２０を操作するオペレータによって、ＣＭＹＫ４色のプロセスカラーインキのみでなく、ある特色インキを使用した印刷を行なうことが決定され、電子集版では、その特色を含めた画像がデザインされる。したがって、ここでは、その印刷用の画像をあらわす印刷用画像データとしてＣＭＹＫ４色の色空間（本発明にいう第１の色空間の一例）の座標値（Ｃ，Ｍ，Ｙ，Ｋそれぞれの網％の組合せ）として定義されるプロセス色画像データと、その採用される特色用の、その特色方向の座標値（その特色の網％）として定義される特色画像データが生成される。これらプロセス色画像データと特色画像データとからなる印刷用画像データは、印刷を行なう場合は、フィルムプリンタ３０に入力され、フィルムプリンタ３０では、その入力された印刷用画像データに対応した、ＣＭＹＫ各版とさらに特色用の版とからなる印刷用フィルム原版が作成される。
【００２８】
この印刷用フィルム原版からは刷版が作成され、その作成された刷版が印刷機４０に装着される。この印刷機に装着された刷版にはインキが塗布され、その塗布されたインキが印刷用の用紙上に転写されてその用紙上に画像４１が形成される。このとき使用されるインキは、ＣＭＹＫ４色のプロセスインキと、所定の特色インキであり、画像４１上には、特色インキで印刷された画像部分４１ａが存在する。尚、１回の印刷に用いられる特色インキは一種類に限られるものではないが、ここでは説明の便宜のため、特色インキは一種類のみ使用されるものとして説明する。
【００２９】
このフィルムプリンタ３０によりフィルム原版を作成し、さらに刷版を作成して印刷機４０に装着し、その刷版にインキを塗布して用紙上に印刷を行なう一連の作業は、大がかりな作業であり、コストもかかる。このため、実際の印刷作業を行なう前に、プルーファにより、以下のようにしてプルーフ画像６１を作成し、印刷画像４１の仕上りの事前確認が行なわれる。
【００３０】
プルーフ画像を作成するにあたっては、ワークステーション２０上の電子集版により作成された印刷用画像データがパーソナルコンピュータ５０に入力される。ここで、このパーソナルコンピュータ５０に入力される画像データは、いわゆるＰＤＬ（Ｐａｇｅ  Ｄｅｓｃｒｉｐｔｉｏｎ  Ｌａｎｇｕａｇｅ）で記述された記述言語データであり、パーソナルコンピュータ５０では、いわゆるＲＩＰ（Ｒａｓｔｅｒ  Ｉｍａｇｅ  Ｐｒｏｃｅｓｓｏｒ）により、ビットマップに展開された、ＣＭＹＫ４色のプロセス色画像データおよび特色に対応した特色画像データに変換される。このＣＭＹＫ４色のプロセス画像データと特色用の特色画像データとを合わせた画像データは、実質的には、フィルムプリンタ３０に入力される印刷用画像データと同一である。
【００３１】
これらのプロセス色画像データおよび特色画像データは、このパーソナルコンピュータ５０の内部で色変換定義が参照され、複数台のプリンタ６０ａ，６０ｂ，…やＣＲＴディスプレイ６０ｎからなる複数台のプルーファのうちプルーフ画像を出力しようとしているプルーファ（ここではプリンタ６０ａとする）に適合した、ＲＧＢ３色の画像データに変換される。プリンタ６０ａには、そのＲＧＢ３色の画像データが入力され、プリンタ６０ａでは、その入力されたＲＧＢ３色の画像データに基づくプルーフ画像６１が作成される。
【００３２】
ここで、印刷機４０による印刷で得られた画像４１とプリンタ６０ａで得られたプルーフ画像の色の一致の程度は、パーソナルコンピュータ５０内の色変換定義により定まる。この色変換定義は、プルーファごと（各プルーフ条件ごと）に作成される。
【００３３】
また、この図１には印刷機は１台のみ示されているが印刷機も複数台存在していてもよく、あるいは１台の印刷機であっても異なる複数の印刷条件が存在してもよく、色変換定義は、印刷機の相異を含めた複数の印刷条件それぞれに応じて作成される。すなわち、色変換定義は、印刷条件のそれぞれとプルーファそれぞれ（１台のプルーファで複数のプルーフ条件が存在するときは各プルーフ条件それぞれ）との組合せに応じて作成されることになる。この色変換定義については後述する。この図１に示す測色計２００についても後で説明する。
【００３４】
このようにしてプルーフ画像を作成してそのプルーフ画像を確認することにより、印刷の仕上りを事前に確認することができる。
【００３５】
ここで、この図１に示すプルーフ画像作成システムにおける、本発明の一実施形態としての特徴は、パーソナルコンピュータ５０の内部で実行される処理内容にあり、以下、このパーソナルコンピュータ５０について説明する。
【００３６】
図２は、図１に１つのブロックで示すパーソナルコンピュータ５０の外観斜視図、図３は、そのパーソナルコンピュータ５０のハードウェア構成図である。
【００３７】
このパーソナルコンピュータ５０は、外観構成上、本体装置５１、その本体装置５１からの指示に応じて表示画面５２ａ上に画像を表示する画像表示装置５２、本体装置５１に、キー操作に応じた各種の情報を入力するキーボード５３、および、表示画面５２ａ上の任意の位置を指定することにより、その位置に表示された、例えばアイコン等に応じた指示を入力するマウス５４を備えている。この本体装置５１は、外観上、フロッピィディスクを装填するためのフロッピィディスク装填口５１ａ、およびＣＤ−ＲＯＭを装填するためのＣＤ−ＲＯＭ装填口５１ｂを有する。
【００３８】
本体装置５１の内部には、図３に示すように、各種プログラムを実行するＣＰＵ５１１、ハードディスク装置５１３に格納されたプログラムが読み出されＣＰＵ５１１での実行のために展開される主メモリ５１２、各種プログラムやデータ等が保存されたハードディスク装置５１３、フロッピィディスク１００が装填されその装填されたフロッピィディスク１００をアクセスするＦＤドライバ５１４、ＣＤ−ＲＯＭ１１０が装填され、その装填されたＣＤ−ＲＯＭ１１０をアクセスするＣＤ−ＲＯＭドライバ５１５、ワークステーション２０（図１参照）と接続され、ワークステーション２０から画像データを受け取る入力インタフェース５１６、プルーファとして用いられる各プリンタ６０ａ，６０ｂ，…やＣＲＴディスプレイ６０ｎに画像データを送る出力インタフェース５１７が内蔵されており、これらの各種要素と、さらに図２にも示す画像表示装置５２、キーボード５３、マウス５４は、バス５５を介して相互に接続されている。尚、図２，図３に示す画像表示装置５２もプルーファの１つとして使用してもよい。
【００３９】
ここで、ＣＤ−ＲＯＭ１１０には、このパーソナルコンピュータ５０を色変換装置として動作させるための色変換プログラムが記憶されており、そのＣＤ−ＲＯＭ１１０はＣＤ−ＲＯＭドライバ５１５に装填され、そのＣＤ−ＲＯＭ１１０に記憶された色変換プログラムがこのパーソナルコンピュータ５０にアップロードされてハードディスク装置５１３に記憶される。
【００４０】
次に、このパーソナルコンピュータ５０内に構築される、色変換定義の作成方法について説明する。
【００４１】
図４は、色変換定義の一部を成す印刷プロファイルの概念図である。
【００４２】
前述したように、典型的な印刷条件に対応する印刷プロファイルは印刷業者から提供されることが多く、所望の印刷条件に対応する印刷プロファイルを入手することが出来れば印刷プロファイルの作成は不要であるが、ここでは、その印刷プロファイルを新たに作成するとした場合の基本的な作成方法について説明する。
【００４３】
図１に示すワークステーションからＣＭＹＫ４色の網％データを例えば０％，１０％，……，１００％と順次変化させ、前述の印刷手順に従って、そのようにして発生させた網％データに基づくカラーパッチ画像を作成する。図１に示す画像４１は、カラーパッチ画像を表わしている画像ではないが、この画像４１に代えてカラーパッチ画像を印刷したものとし、そのカラーパッチ画像を構成する各カラーパッチを測色計２００で測定する。こうすることにより、ＣＭＹＫ４色の色空間（本発明にいう第１の色空間）上の座標値と測色色空間（ここではＬ*ａ*ｂ*色空間）上の座標値との対応関係をあらわす印刷プロファイルが構築される。この印刷プロファイルは、本発明にいう第１の座標変換定義の一例に相当する。
【００４４】
ここで、印刷プロファイルを作成するためのカラーパッチの作成にはＣＭＹＫ４色のプロセスインキのみが用いられ特色インキは用いられない。特色インキを加えると作成された印刷プロファイルに汎用性がなくなり、また、様々な特色インキやそれらの組合せごとに印刷プロファイルを設定するのは極めて煩雑だからである。
【００４５】
図５は、色変換定義の一部を成すプリンタプロファイルの概念図である。
【００４６】
前述したようにプリンタプロファイルもプリンタメーカから提供されることも多く、所望のプリンタ（ここでは図１に示すプリンタ６０ａとしている）に対応するプリンタプロファイルを入手することが出来ればプリンタプロファイルの作成は不要である。ここでは、プリンタプロファイルを新たに作成するとした場合の基本的な作成方法について説明する。このプリンタプロファイルの作成方法は、上述した印刷プロファイルの作成方法と同様である。
【００４７】
ここでは、図１に示すパーソナルコンピュータ５０で、ＲＧＢ３色の画像データを各色について最低値（例えば０）から最高値（例えば２５５）まで所定のきざみ（例えば値８ずつのきざみ）で順次変化させ、そのように順次発生させた画像データに基づくカラーパッチ画像を作成する。図１に示す画像６１は、カラーパッチ画像をあらわしている画像ではないが、この画像６１に代えてカラーパッチ画像を出力したものとし、そのカラーパッチ画像を構成する各カラーパッチを測色計２００で測色する。こうすることにより、プリンタ６０ａについての、ＲＧＢ３色の色空間（本発明にいう第２の色空間）上の座標値と測色色空間（本実施形態ではＬ*ａ*ｂ*色空間）上の座標値との対応関係をあらわすプリンタプロファイルが構築される。
【００４８】
このプリンタプロファイルは、Ｌ*ａ*ｂ*色空間上の座標値をＲＧＢ色空間上の座標値に変換するために用いられるものであり、本発明にいう第２の座標変換定義の一例に相当する。
【００４９】
図６は、印刷プロファイルとプリンタプロファイルとを組合せて作成される、ＣＭＹＫ色空間の座標値をＲＧＢ色空間の座標値に直接に変換する色変換定義の概念図である。
【００５０】
ここでは、印刷プロファイル（第１の色変換定義）とプリンタプロファイル（第２の色変換定義）とを合体させることによりＣＭＹＫ色空間の座標値をＬ*ａ*ｂ*色空間を経由せずに直接にＲＧＢ色空間内の座標値に変換する、本発明にいう第３の色変換定義が構築される。
【００５１】
この第３の色変換定義は後述する各種の実施形態のうちの一部の実施形態において使用される。
【００５２】
図７は、色変換定義の一部を成す特色・座標変換定義の模式図である。
【００５３】
この特色・座標変換定義は、特色名とその特色インキのＬ*ａ*ｂ*色空間上の座標値とを対応づけるものであり、通常、特色インキのＬ*ａ*ｂ*色空間上の座標値は、その特色インキのメーカ等から情報を入手することができるが、この特色Ｌ*ａ*ｂ*色空間上の座標値を求めようとするときは、その特色インキ単色の網％が１００％のデータを発生させ、そのデータに基づいて前述の印刷手順に従ってその特色のベタのパッチを作成し、そのベタのパッチを測色計で測定することにより求めることができる。
【００５４】
すなわち、図６に示す特色・座標変換定義で求められるのは、その特色名で表わされる特色の網％が１００％のときのベタのパッチのＬ*ａ*ｂ*色空間の座標値である。
【００５５】
図８は、色変換定義の一部を成す座標合成定義の模式図である。
【００５６】
この座標合成定義は、一例として、ＲＧＢ色空間（本発明にいう第２の色空間の一例）での座標値を合成する座標合成定義である。
【００５７】
この座標合成定義には、印刷用画像データのうちのＣＭＹＫ４色のプロセス色画像データに由来する、ＲＧＢ色空間の座標値で定義された画像データと、図７に示す特色・座標変換定義を参照して得られた特色のベタのＬ*ａ*ｂ*色空間の座標値に由来する、特色のＲＧＢ色空間上の座標値と、印刷用画像データを構成する、その特色の網％データ（特色画像データ）が入力される。この座標合成定義では、一例として、特色の、ＲＧＢ色空間上の座標値（これは前述したように、網％が１００％のときの座標値である）と特色画像データがあらわす網％とで定まる、その特色の、その網％の、ＲＧＢ色空間上の座標値で定義されるＲ，Ｇ，Ｂの各データと、印刷用画像データのうちのプロセス色画像データに由来するＲ，Ｇ，Ｂの各データとが、それぞれ加算される。この座標合成定義では、例えばこのような演算により、あるいはこのような演算に対応したＬＵＴにより、プルーフ画像出力用のプルーファ（ここでは図１に示す例におけるプリンタ６０ａ）でプルーフ画像を出力するためのＲ，Ｇ，Ｂの画像データが生成される。
【００５８】
尚、ここではＲＧＢ色空間上で座標を合成する座標合成定義について説明したが、この座標合成定義は、ＲＧＢ色空間上で座標を合成するものには限られず、Ｌ*ａ*ｂ*色空間上で座標を合成するものであってもよい。座標をあらわす色空間が異なるだけであるので、ここではＲＧＢ色空間とは別にＬ*ａ*ｂ*色空間を取り上げた座標合成定義の図示および説明は省略する。
【００５９】
図９は、本発明の色変換方法の第１実施形態を示す図である。
【００６０】
ここには、印刷条件変換過程３１１と、特色参照過程３１２と、プリンタ条件変換過程３１３（本発明にいうプルーフ条件変換過程の一例に相当する）と、合成過程３１４とが示されている。
【００６１】
印刷条件変換過程３１１では、図４を参照して説明した印刷プロファイル（第１の色変換定義）が参照されて、印刷用画像データのうちのＣＭＹＫ色空間上の座標値で定義されたプロセス色画像データがＬ*ａ*ｂ*色空間上の座標値で定義される画像データに変換される。
【００６２】
また、特色参照過程３１２では、図７を参照して説明した特色・座標変換定義が参照されて、特色名が、その特色の、Ｌ*ａ*ｂ*色空間上の座標値に変換される。
【００６３】
また、プリンタ条件変換過程３１３では、図５を参照して説明したプリンタプロファイル（第２の色変換定義）が参照されて、上述の印刷条件変換過程３１１で得られた、Ｌ*ａ*ｂ*色空間上の座標値で定義される画像データが、ＲＧＢ色空間上の座標値で定義される画像データに変換されるとともに、特色参照過程３１２で得られた特色のＬ*ａ*ｂ*色空間上の座標値がＲＧＢ色空間上の座標値に変換される。
【００６４】
さらに、合成過程３１４では、プリンタ条件変換過程３１３で得られた、ＲＧＢ色空間上の座標値で定義された画像データと、同じくプリンタ条件変換過程３１３で得られた、特色の、ＲＧＢ色空間上の座標値と、さらに、その特色の網％データが、図８を参照して説明した座標合成定義に基づいて、ＲＧＢ色空間上の座標値で定義される、プルーフ画像出力用の画像データに合成される。
【００６５】
この合成過程３１４により得られたＲＧＢ色空間上の画像データは、図１に示す、プルーフ画像出力用のプリンタ６０ａに送られ、プリンタ６０ａではその送られてきた画像データに基づいてプルーフ画像がプリント出力される。
【００６６】
ここで、図９に示す色変換方法によれば、ＣＭＹＫのプロセスカラーと特色はそれぞれ別の経路を経てデータ変換が行なわれた後合成されるため、特色に関しても色再現性の良好なプルーフ画像が得られる。また、この図９に示す色変換方法によれば、プルーフ画像を出力するプリンタが変更されたときに変更する必要があるのは、プリンタ条件変換過程で参照されるプリンタプロファイルのみであり、前述した公報に開示された方法と比べ、データ管理の負担が軽減される。
【００６７】
図１０は、本発明の色変換方法の第２実施形態を示す図である。図９に示す第１実施形態との相違点について説明する。
【００６８】
この図１０に示す第２実施形態には、Ｌ*ａ*ｂ*色空間上でデータの合成を行なう合成過程３１５が置かれており、この合成過程３１５では、印刷条件変換過程３１１で得られた、Ｌ*ａ*ｂ*色空間上の座標値で定義された画像データと、特色参照過程３１２で得られた、特色の、Ｌ*ａ*ｂ*色空間上の座標値と、さらに、その特色の網％データが、図８を参照して説明した（ただしＬ*ａ*ｂ*色空間上の演算を行なう）座標合成定義に基づいて、Ｌ*ａ*ｂ*色空間上の座標値で定義される、プリンタ用の画像データに合成される。この合成過程で得られた、Ｌ*ａ*ｂ*色空間上の座標値で定義された画像データは、プリンタ条件変換過程３１３において、図５に示すプリンタプロファイル（第２の色変換定義）が参照されて、プリンタ用の、ＲＧＢ色空間の座標値で定義された画像データに変換される。このプリンタ条件変換過程３１３での変換により得られたＲＧＢ色空間上の画像データは、図９に示す第１実施形態の場合と同様、図１に示す、プルーフ画像出力用のプリンタ６０ａに送られ、プリンタ６０ａでは、その送られてきた画像データに基づくプルーフ画像がプリント出力される。
【００６９】
この図１０に示す色変換方法においても、図９に示す色変換方法の場合と同様に、ＣＭＹＫのプロセスカラーと特色は、それぞれ別々にＬ*ａ*ｂ*色空間上の座標値に変換された後合成されるため、特色に関しても色再現性の良好なプルーフ画像が得られる。また、プルーフ画像を出力するプリンタが変更されたときに変更する必要があるのは、プリンタ条件変換過程３１３で参照されるプリンタプロファイルのみであり、データ管理の負担が軽減される。
【００７０】
図１１は、図１０を参照して説明した本発明の色変換方法の第２実施形態の変形例を示す図である。
【００７１】
合成過程３１５では、Ｌ*ａ*ｂ*色空間上で座標の合成が行なわれるが、Ｌ*ａ*ｂ*・ＸＹＺ変換過程３１５ａにより、Ｌ*ａ*ｂ*色空間上の座標値がＸＹＺ色空間上の座標値に変換され、合成過程３１５ｂによりＸＹＺ色空間上で合成が行なわれ、ＸＹＺ・Ｌ*ａ*ｂ*変換過程３１５ｃにより、その合成後の、ＸＹＺ色空間上の座標値がＬ*ａ*ｂ*色空間上の座標値に変換される。
【００７２】
ＸＹＺ色空間は、Ｌ*ａ*ｂ*色空間よりも視感度に直接に対応しているため、誤差の少ない合成が可能である。
【００７３】
図１２は、本発明の色変換方法の第３実施形態を示す図である。図９に示す第１実施形態との相違点について説明する。
【００７４】
この図１２に示すプロセス変換過程作成過程３１６では、印刷用画像データをプリンタ用の画像データに変換するに先立って、図４を参照して説明した印刷プロファイル（第１の色変換定義）と図５を参照して説明したプリンタプロファイル（第２の色変換定義）とが、図６に示すように、１つの色変換定義（第３の色変換定義）に合成される。
【００７５】
そこまでの準備を行なった後、印刷用画像データがプリンタ用の画像データに変換されるが、印刷用画像データのうちのＣＭＹＫ４色のプロセス色画像データに関しては、図９に示す印刷条件変換過程３１１とプリンタ条件変換過程３１３との双方の過程に代わり、プロセス色変換過程３１７により、そのＣＭＹＫ４色のプロセス色画像データが、ＲＧＢ３色の画像データに直接に変換される。
【００７６】
特色に関する変換過程および合成過程に関しては、図９に示す第１実施形態の場合と何ら変わるところはないため、ここでは説明は省略する。
【００７７】
この図１２に示す色変換方法の場合、図９に示す第１実施形態の色変換方法と比べ準備段階で図６に示す第３の色変換定義を作成する必要があるが、実際の色変換では、座標変換の過程が１つ少なくて済み、色変換の高速化が図られる。
【００７８】
図１３は、本発明の色変換装置の第１実施形態の機能ブロック図である。
【００７９】
この色変換装置は、図２，図３に示すパーソナルコンピュータ５０とそのパーソナルコンピュータで実行されるプログラムとの結合により実現される。
【００８０】
この図１３に示す色変換装置は、指定部６０１と、定義記憶部６０２と、色変換部６０３とにより構成されている。
【００８１】
定義記憶部６０２には、印刷条件に対応した複数の第１の座標変換定義（印刷プロファイル）（図４およびその説明を参照）６０２１ａ，６０２１ｂ，…，６０２１ｐと、様々な特色に対応した複数の特色・座標変換定義６０２２ａ，６０２２ｂ，…，６０２２ｑ（図７およびその説明を参照）、座標合成定義６０２３（図８およびその説明を参照）、およびプルーフ条件に対応した複数の第２の座標変換定義（プリンタプロファイル）６０２４ａ，６０２４ｂ，…，６０２４ｒ（図５およびその説明を参照）が記憶されている。ここで第２の座標変換定義に関しては、図５では、図１に示すプリンタ６０ａでプルーフ画像をプリント出力することを前提に説明したためプリンタプロファイルという呼び方で説明したが、この第２の座標変換定義の中には、図１に示すＣＲＴディスプレイ６０ｎに対応した座標変換定義も含まれている。
【００８２】
この定義記憶部６０２は、ハードウェア上は、図３に示すハードディスク装置５１３の内部に設定されており、この定義記憶部６０２（図３に示すハードディスク装置５１３）は、本発明の色変換定義記憶媒体の一実施形態にも相当する。
【００８３】
指定部６０１では、印刷条件の指定、プルーフ条件（プルーフ画像を出力するプルーファの指定）、印刷で用いられる特色の指定が行なわれる。この指定部６０１は、ハードウェア上は、図２，図３に示すキーボード５３あるいはマウス５４がその役割りを担っている。尚、印刷条件および特色の指定は指定部６０１から行なうのではなく、図１に示すワークステーション２０からその情報を得てもよい。
【００８４】
指定部６０１から印刷条件が指定されると、定義記憶部６０２に記憶された複数の第１の座標変換定義６０２１ａ，６０２１ｂ，…，６０２１ｐのうちの、指定された印刷条件に対応する第１の座標変換定義（ここでは第１の座標変換定義６０１２ａとする）が読み出されて色変換部６０３に入力される。また、これと同様に、指定部６０１から特色が指定されると、定義記憶部６０２に記憶された複数の特色・座標変換定義６０２２ａ，６０２２ｂ，…，６０２２ｑのうちの、指定された特色に対応する特色・座標変換定義（ここでは特色・座標変換定義６０２２ａとする）が読み出されて色変換部６０３に入力される。さらに、指定部６０１からプルーフ画像を出力するプリンタあるいはＣＲＴディスプレイ装置が指定されると、定義記憶部６０２に記憶された複数の第２の座標変換定義６０２４ａ，６０２４ｂ，…，６０２４ｒのうちの、指定されたプルーファ（ここでは図１に示すプリンタ６０ａとする）に対応した第２の座標変換定義（ここでは第２の座標変換定義６０２４ａとする）が読み出されて色変換部６０３に入力される。
【００８５】
さらに定義記憶部６０２からは、座標合成定義６０２３も読み出されて色変換部６０３に入力される。
【００８６】
このようにして、色変換部６０３に、第１の座標変換定義６０２１ａ，特色・座標変換定義６０２２ａ，座標合成定義６０２３、および第２の座標変換定義６０２４ａからなる１つの色変換定義が入力された後、図１３に示す色変換装置が実現されたパーソナルコンピュータ５０（図１〜図３参照）に、図１に示すワークステーション２０から、電子集版により作成された印刷画像用のＰＤＬ形式の画像データが入力され、そのＰＤＬ形式の画像データがＲＩＰによりビットマップ形式の画像データに変換され、ビットマップ形式の、印刷用のＣＭＹＫ色空間で定義されたプロセス色画像データ、およびビットマップ形式の特色の網％をあらわす特色画像データが色変換部６０３に入力される。さらに、この色変換部６０３には、特色を特定する特色名をあらわすデータも入力される。
【００８７】
この色変換部６０３では、入力されたＣＭＹＫ４色のプロセス色画像データ、特色画像データおよび特色名に基づいて、色変換部６０３に事前に入力されている色変換定義に従った色変換が行なわれ、その変換により、プリンタ６０ａ（図１参照）を用いてプルーフ画像を出力するため、ＲＧＢの画像データが生成される。この色変換部６０３での色変換により生成されたＲＧＢの画像データは、プリンタ６０ａに送信され、プリンタ６０ａでは、特色による印刷部分を含む印刷物の色と一致した色のプルーフ画像が出力される。
【００８８】
以下、この色変換部６０３における色変換手段について説明する。
【００８９】
この色変換部６０３は、第１の変換手段６０３１，第２の変換手段６０３２，第３の変換手段６０３３，第４の変換手段６０３４、および第１の合成手段６０３５から構成されている。
【００９０】
印刷用画像データのうちのＣＭＹＫ４色のプロセス色画像データは、第１の変換手段６０３１に入力される。この第１の変換手段６０３１では、定義記憶部６０２から読み出されて色変換部６０３に入力された第１の座標変換定義（印刷プロファイル）６０２１ａが参照され、その入力されたＣＭＹＫ４色のプロセス色画像データがＬ*ａ*ｂ*色空間の座標値で定義される画像データに変換される。
【００９１】
第１の変換手段６０３１での変換により得られた、Ｌ*ａ*ｂ*色空間の座標値で定義された画像データは、第３の変換手段６０３３に入力される。第３の変換手段６０３３では、定義記憶部６０２から読み出されて色変換部６０３に入力された第２の座標変換定義（プリンタプロファイル）６０２４ａが参照され、その第３の変換手段６０３３に入力されたＬ*ａ*ｂ*色空間の画像データが、ＲＧＢ色空間の座標値で定義される画像データに変換される。この第３の変換手段６０３３での変換により得られたＲＧＢの画像データは、第１の合成手段６０３５に入力される。
【００９２】
一方、第２の変換手段６０３２には特色名が入力され、この第２の変換手段６０３２では、定義記憶部６０２から読み出されて色変換部６０３に入力された特色・座標変換定義６０２２ａが参照されて、その第２の変換手段６０３２に入力された特色名がＬ*ａ*ｂ*色空間の座標値に変換される。この、特色を表わす、Ｌ*ａ*ｂ*色空間の座標値は、第４の変換手段６０３４に入力される。この第４の変換手段６０３４では、第３の変換手段６０３３と同様、第２の座標変換定義（プリンタプロファイル）６０２４ａが参照されて、特色を表わすＬ*ａ*ｂ*色空間の座標値がＲＧＢ色空間の座標値に変換される。この第４の変換手段６０３４での変換により得られた、特色を表わすＲＧＢ色空間内の座標値は、第１の合成手段６０３５に入力される。
【００９３】
第１の合成手段６０３５には、上述した、第３の変換手段６０３３での変換により得られた、ＲＧＢの画像データと、第４の変換手段６０３４での変換により得られた、特色のＲＧＢ座標値とのほか、さらに特色画像データ（網％データ）も入力され、第１の合成手段６０３５では、定義記憶部６０２から読み出されて色変換部６０３に入力された座標合成定義６０２３が参照されて、第４の変換手段６０３４から入力された特色のベタのＲＧＢ座標値と特色画像データが表わす特色の網％とで定まる、その特色の網％データのＲＧＢ座標値と、第３の変換手段６０３３から入力された画像データのＲＧＢ座標値とが合成されて、プルーフ画像出力用の、ＲＧＢ色空間の座標値で定義される画像データが生成される。
【００９４】
このようにして、この色変換部６０３における色変換により得られたＲＧＢの画像データは、前述したように、プリンタ６０ａ（図１参照）に送信されてそのプリンタ６０ａでそのＲＧＢの画像データに基づくプルーフ画像が出力される。
【００９５】
ここで、本発明の色変換方法の実施形態においても説明したとおり、プロセスカラーと特色は別々の変換系で色変換が行なわれた後合成されるため、プロセスカラーと特色のそれぞれに適した色変換が行なわれ、プロセスカラーのみでなく特色についても色再現性の良好なプルーフ画像が得られる。また、プルーフ画像を出力するプルーファを追加あるいは変更したときに追加あるいは変更する必要があるのは、第２の座標変換定義のみであり、データ管理の負荷が軽くて済み、また、プルーファの追加に伴う、定義記憶部６０２のメモリ容量の増加も少なくて済む。
【００９６】
図１４は、本発明の色変換装置の第２実施形態の色変換部の構成を示す機能ブロック図である。指定部および定義記憶部の構成は、図１３に示す第１実施形態における指定部および定義記憶部と同一であり、ここでは図示および説明は省略する。ただし、図１４に示す第２実施形態においては、図１３に示す定義記憶部６０２に記憶された座標合成定義６０２３は、Ｌ*ａ*ｂ*色空間上での座標合成を定義したものである。
【００９７】
図１４に示す色変換部６１３は、第５の変換手段６１３１、第６の変換手段６１３２、第２の合成手段６１３３、および第７の変換手段６１３４により構成されている。
【００９８】
ここで、第５の変換手段６１３１および第６の変換手段６１３２は、図１３に示す第１実施形態の色変換部６０３の、それぞれ第１の変換手段６０３１および第２の変換手段６０３２とその作用は同一であり、ここでは説明は省略する。
【００９９】
第２の合成手段６１３３には、第５の変換手段６１３１での変換により得られたＬ*ａ*ｂ*の画像データと、第６の変換手段６１３２での変換により得られた、特色の、Ｌ*ａ*ｂ*色空間上の座標値と、さらに特色画像データ（網％データ）が入力され、この第２の合成手段６１３３では、Ｌ*ａ*ｂ*色空間上で座標合成を行う座標合成定義が参照されて、第６の変換手段６１３２から入力された特色のベタのＬ*ａ*ｂ*座標値と特色画像データが表わす特色の網％とで定まる、その特色画像データのＬ*ａ*ｂ*座標値と、第５の変換手段６１３１から入力されたプロセス画像データのＬ*ａ*ｂ*座標値とが合成されて、プルーフ画像出力用の（但しＬ*ａ*ｂ*色空間上の）画像データが生成される。この、プルーフ画像出力用の、Ｌ*ａ*ｂ*色空間の座標値で定義された画像データは、第７の変換手段６１３４に入力され、この第７の変換手段６１３４では、第２の座標変換定義６０２４ａが参照されて、プルーフ画像出力用のＬ*ａ*ｂ*の画像データが、プルーフ画像出力用のＲＧＢの画像データに変換される。
【０１００】
このプルーフ画像出力用の、ＲＧＢの画像データは、図１に示すプリンタ６０ａに送信され、プリンタ６０ａでは、その送られてきたＲＧＢの画像データに基づくプルーフ画像が出力される。
【０１０１】
ここで、図１４に示す第２実施形態における第２の合成手段６１３３は、Ｌ*ａ*ｂ*色区間内で直接座標合成を行なうものであってもよいが、図１１を参照して説明した、色変換方法の実施形態の場合と同様、Ｌ*ａ*ｂ*色空間の座標値をＸＹＺ色空間の座標値に一旦変換し、ＸＹＺ色空間上で座標合成を行い、再度ＸＹＺ色空間からＬ*ａ*ｂ*色空間に戻す構成のものであってもよい。
【０１０２】
この図１４に示す第２実施形態においても、プロセスカラーと特色は別々に色変換されて合成されるため、特色に関しても良好な色再現が得られる。プルーフ画像出力用のプリンタ等の追加に伴うメモリ容量の増加が少なくて済む点も第１の実施形態の場合と同様である。
【０１０３】
図１５は、本発明の色変換装置の第３実施形態の色変換部の構成を示す機能ブロック図である。この第３の実施形態における指定部および定義記憶部の構成は図１３に示す第１実施形態における指定部及び定義記憶部と同一である。
【０１０４】
図１５に示す色変換部６２３は、座標変換定義構築手段６２１３、第８の変換手段６２３２、第９の変換手段６２３３、第１０の変換手段６２３４、及び第３の合成手段６２３５から構成されている。第９の変換手段６２３３、第１０の変換手段６２３４、および第３の合成手段６２３５の各作用は、図１３に示す色変換部６０３における、第２の変換手段６０３２、第４の変換手段６０３４、および第１の合成手段６０３５の各作用と同一であり、ここでは説明は省略する。
【０１０５】
座標変換定義構築手段６２３１では、図６を参照して説明したように、定義記憶部６０２（図１３参照）から読み出されてこの色変換部６２３に入力された第１の座標変換定義（印刷プロファイル）６０２１ａと第２の座標変換定義（プリンタプロファイル）６０２４ａとが合体されて、ＣＭＹＫ色空間の座標値を、Ｌ*ａ*ｂ*色空間を経由せずに直接にＲＧＢ色空間の座標値に変換する第３の座標変換定義が構築される。
【０１０６】
ＣＭＹＫのプロセス色画像データは、第８の変換手段６２３２に入力され、この第８の変換手段６２３２では、座標変換定義構築手段６２３１により構築された第３の座標変換定義が参照されて、入力されたＣＭＹＫのプロセス色画像データが、直接にＲＧＢの画像データに変換される。
【０１０７】
このように、この図１５に示す第３の実施形態の場合、座標変換定義構築手段６２３１を必要とし、かつ色変換を行う前に第３の座標変換定義を構築するという演算が必要となるが、実際の色変換においてはＣＭＹＫのプロセス色画像データを直接にＲＧＢの画像データに変換することができ、高速の色変換が可能となる。
【０１０８】
プルーフ画像における特色の色再現性が良好である点やプルーファを追加した時のメモリ容量の増加分が少なくて済む点については図１３に示す第１実施形態の場合と同じである。
【０１０９】
尚、上述の各実施形態では、ＲＧＢの色空間を持つプリンタをプルーファとして用いた例を示したが、本発明では、ＣＭＹＫの色空間を持つプリンタやＲＧＢの色空間を持つディスプレイ等をプルーファとして採用することもできる。
【０１１０】
【発明の効果】
以上説明したように、本発明によれば、プルーフ画像を出力するプルーファが複数種類存在するシステムに適合し、かつ、特色の色再現精度を高精度に保つことができる。
【図面の簡単な説明】
【図１】本発明の一実施形態が適用された印刷およびプルーフ画像作成システムの全体構成図である。
【図２】図１に１つのブロックで示すパーソナルコンピュータの外観斜視図である。
【図３】パーソナルコンピュータのハードウェア構成図である。
【図４】色変換定義の一部を成す印刷プロファイルの概念図である。
【図５】色変換定義の一部を成すプリンタプロファイルの概念図である。
【図６】印刷プロファイルとプリンタプロファイルとを組合せて作成される、ＣＭＹＫ色空間の座標値をＲＧＢ色空間の座標値に直接に変換する色変換定義の概念図である。
【図７】色変換定義の一部を成す特色・座標変換定義の模式図である。
【図８】色変換定義の一部を成す座標合成定義の模式図である。
【図９】本発明の色変換方法の第１実施形態を示す図である。
【図１０】本発明の色変換方法の第２実施形態を示す図である。
【図１１】本発明の色変換方法の第２実施形態の変形例を示す図である。
【図１２】本発明の色変換方法の第３実施形態を示す図である。
【図１３】本発明の色変換装置の第１実施形態の機能ブロック図である。
【図１４】本発明の色変形装置の第２実施形態の色変換部の構成を示す機能ブロック図である。
【図１５】本発明の色変換装置の第３実施形態の色変換部の構成を示す機能ブロック図である。
【符号の説明】
１０    カラースキャナ
２０    ワークステーション
３０    フィルムプリンタ
４０    印刷機
４１    画像
４１ａ    画像部分
５０    パーソナルコンピュータ
５１    本体装置
５１ａ    フロッピィディスク装填口
５１ｂ    ＣＤ−ＲＯＭ装填口
５２    画像表示装置
５２ａ    表示画面
５３    キーボード
５４    マウス
５５    バス
６０ａ，６０ｂ    プリンタ
６０ｎ    ＣＲＴディスプレイ装置
６１    プルーフ画像
１００    フロッピィディスク
１１０    ＣＤ−ＲＯＭ
２００    測色計
３１１    印刷条件変換過程
３１２    特色参照過程
３１３    プリンタ条件変換過程
３１４    合成過程
３１５ａ    Ｌ*ａ*ｂ*・ＸＹＺ変換過程
３１５ｂ    合成過程
３１５ｃ    ＸＹＺ・Ｌ*ａ*ｂ*変換過程
３１６    プロセス変換過程作成過程
３１７    プロセス色変換過程
６０１    指定部
６０２    定義記憶部
６０３    色変換部
６０２１ａ，６０２１ｂ，…，６０２１ｐ    第１の座標変換定義
６０２２ａ，６０２２ｂ，…，６０２２ｑ    特色・座標変換定義
６０２３    座標合成定義
６０２４ａ，６０２４ｂ，…，６０２４ｒ    第２の座標変換定義
６０３，６１３，６２３    色変換部
６０３１    第１の変換手段
６０３２    第２の変換手段
６０３３    第３の変換手段
６０３４    第４の変換手段
６０３５    第１の合成手段
６１３１    第５の変換手段
６１３２    第６の変換手段
６１３３    第２の合成手段
６１３４    第７の変換手段
６２３１    座標変換定義構築手段
６２３２    第８の変換手段
６２３３    第９の変換手段
６２３４    第１０の変換手段
６２３５    第３の合成手段
【図１】
0004163849.tif 000002
【図２】
0004163849.tif 000003
【図３】
0004163849.tif 000004
【図４】
0004163849.tif 000005
【図５】
0004163849.tif 000006
【図６】
0004163849.tif 000007
【図７】
0004163849.tif 000008
【図８】
0004163849.tif 000009
【図９】
0004163849.tif 000010
【図１０】
0004163849.tif 000011
【図１１】
0004163849.tif 000012
【図１２】
0004163849.tif 000013
【図１３】
0004163849.tif 000014
【図１４】
0004163849.tif 000015
【図１５】
0004163849.tif 000016